(57)【要約】【課題】移動が容易で、台車として機能でき、回転台として機能する時にはドラムの転がりを防止することができるドラム回転台兼用台車を提供すること。【解決手段】本発明は、ドラムやその他工事用道具等を載置可能な上面を有するドラム載置用フレームと、ドラム載置用フレームの下面側に設けられた移動用の複数のローラーと、ドラム載置用フレームに取り付けられた把持部材と、ドラム載置用フレームに一端側が固定されたチェーンないし紐部材と、チェーンないし紐部材の少なくとも一部を収容する収容ケース部と、チェーンないし紐部材の他端側を取り外し可能に係合する係合部と、を備える。前方外側ローラー、前方内側ローラー、後方外側ローラー及び後方内側ローラーが、ドラム載置用フレームの上面が下側に転回された状態で、ドラムの回転台として機能する。その際、チェーンないし紐部材が、ドラムないし当該ドラムに支持された治具に巻き回される。【選択図】図１
2018103953.tif 000002
【特許請求の範囲】
【請求項１】
ドラムを移動する際に当該ドラムやその他工事用道具等を載置可能な上面を有するドラム載置用フレームと、
前記ドラム載置用フレームの下面側に設けられた移動用の複数のローラーと、
前記ドラム載置用フレームに取り付けられた把持部材と、
前記ドラム載置用フレームに一端側が固定されたチェーンないし紐部材と、
前記チェーンないし紐部材の少なくとも一部を収容する収容ケース部と、
前記チェーンないし紐部材の他端側を取り外し可能に係合可能な係合部と、
を備え、
前方外側ローラーと前方内側ローラーとを平行に共に回転可能に保持する一対の前方側軸受プレートが、前記ドラム載置用フレームの前方側に当該ドラム載置用フレームに対して揺動可能に取り付けられており、
後方外側ローラーと後方内側ローラーとを平行に共に回転可能に保持する一対の後方側軸受プレートが、前記ドラム載置用フレームの後方側に当該ドラム載置用フレームに対して揺動可能に取り付けられており、
前記前方外側ローラー、前記前方内側ローラー、前記後方外側ローラー及び前記後方内側ローラーは、前記ドラム載置用フレームの前記上面が下側に転回された状態で、ドラムの回転台として機能するようになっており、
前記前方外側ローラー、前記前方内側ローラー、前記後方外側ローラー及び前記後方内側ローラーがドラムの回転台として機能する際、前記チェーンないし紐部材は、当該ドラムを前記前方外側ローラー、前記前方内側ローラー、前記後方外側ローラー及び前記後方内側ローラーの側に引き寄せる力を当該ドラムに付与するべく、当該ドラムないし当該ドラムに支持された治具に巻き回された状態で、前記係合部に取り外し可能に係合されるようになっている
ことを特徴とするドラム回転台兼用台車。
【請求項２】
前記ドラムの中空軸部分に挿入され得る挿入棒が、前記ドラム載置用フレームに取り外し可能に取り付けられており、
前記挿入棒は、前記前方外側ローラー、前記前方内側ローラー、前記後方外側ローラー及び前記後方内側ローラーがドラムの回転台として機能する際、ドラムの中空軸部分に挿入され、前記治具として前記チェーンないし紐部材によって巻き回されるようになっている
ことを特徴とする請求項１に記載のドラム回転台兼用台車。
【請求項３】
前記前方側軸受プレートは、スプリングを介して、前記ドラム載置用フレームに対して固定されている
ことを特徴とする請求項１または２に記載のドラム回転台兼用台車。
【請求項４】
ドラムを移動する際に当該ドラムやその他工事用道具等を載置可能な上面を有するドラム載置用フレームと、
前記ドラム載置用フレームの下面側に設けられた移動用の複数のローラーと、
前記ドラム載置用フレームに取り外し可能に取り付けられた把持部材と、
チェーンないし紐部材の少なくとも一部を収容する収容ケース部と、
前記収容ケース部に少なくとも一部が収容されたチェーンないし紐部材と、
前記チェーンないし紐部材の一端側を取り外し可能に係合可能な一端側係合部と、
前記チェーンないし紐部材の他端側を取り外し可能に係合可能な他端側係合部と、
を備え、
前方外側ローラーと前方内側ローラーとを平行に共に回転可能に保持する一対の前方側軸受プレートが、前記ドラム載置用フレームの前方側に当該ドラム載置用フレームに対して揺動可能に取り付けられており、
後方外側ローラーと後方内側ローラーとを平行に共に回転可能に保持する一対の後方側軸受プレートが、前記ドラム載置用フレームの後方側に当該ドラム載置用フレームに対して揺動可能に取り付けられており、
前記前方外側ローラー、前記前方内側ローラー、前記後方外側ローラー及び前記後方内側ローラーは、前記ドラム載置用フレームの前記上面が下側に転回された状態で、ドラムの回転台として機能するようになっており、
前記前方外側ローラー、前記前方内側ローラー、前記後方外側ローラー及び前記後方内側ローラーがドラムの回転台として機能する際、前記チェーンないし紐部材は、当該ドラムを前記前方外側ローラー、前記前方内側ローラー、前記後方外側ローラー及び前記後方内側ローラーの側に引き寄せる力を当該ドラムに付与するべく、当該ドラムないし当該ドラムに支持された治具に巻き回された状態で、前記一端側係合部及び前記他端側係合部に取り外し可能に係合されるようになっている
ことを特徴とするドラム回転台兼用台車。
【発明の詳細な説明】
【技術分野】
【０００１】
本発明は、ケーブルドラムのようなドラムを載せて回転させる回転台としての機能を兼ね備えた台車に関する。
【背景技術】
【０００２】
ケーブルドラムは、ケーブルが巻き回される円筒部と、当該円筒部の左右両端に設けられた大径フランジ部と、を有している（いわゆる「糸巻き」のような形状を有している）。
【０００３】
本件出願人は、４個の小型の回転ローラーを四角形の角部に相当する位置に配置したドラムローラーを製造、販売している。前後で一対の回転ローラーが、片方の大径フランジ部を回転可能に支持するように配置されていて、それらが左右一対になって構成されたものである。
【０００４】
前記のようなドラムローラーは、原理的に、ドラムを４点で支持するものである。これに対して、前方側の外側及び内側並びに後方側の外側及び内側の４点、それらが左右一対になって合計８点でドラムを支持する構成を採用すれば、ドラムをより安定的に支持することができる。
【発明の概要】
【発明が解決しようとする課題】
【０００５】
前記のようにドラムを８点で支持する場合、ドラムをより安定的に支持することができるが、支持点の数が多くなるため（４→８）、ドラムが不所望に転がってしまうリスクも大きくなってしまう。
【０００６】
また、ドラムを８点で支持するべく、４つのローラーの各々を両方の大径フランジ部を支持するべく筒状に伸ばした構成とすると、４個の小型の回転ローラーを備えた従来の装置と比較して全体の重量がかなり大きくなって、ドラムローラーの移動ないし引き回しが面倒になる可能性がある。
【０００７】
本件発明者は、これらの課題を克服するべく、鋭意の検討を重ね、フレームに移動用のローラーを設けることで、装置の移動を容易にする構成を創案した。
【０００８】
そして、単に当該装置の移動を容易にするに留まらず、ドラムやその他工事用道具等を載置可能な上面を設けて、ドラムを運搬する台車としての機能を併せ持つ構成を創案した。
【０００９】
更に、ドラムの転がりを防止するためにチェーンないし紐部材を利用する態様を採用し、当該チェーンないし紐部材の少なくとも一部を収容する収容ケース部を設けることをも創案した。
【００１０】
本発明は、以上の知見に基づいて創案されたものである。本発明の目的は、移動が容易であって、台車として機能することもでき、回転台として機能する時にはドラムの転がりを防止することができる、というドラム回転台兼用台車を提供することである。
【課題を解決するための手段】
【００１１】
本発明は、ドラムを移動する際に当該ドラムやその他工事用道具等を載置可能な上面を有するドラム載置用フレームと、前記ドラム載置用フレームの下面側に設けられた移動用の複数のローラーと、前記ドラム載置用フレームに取り付けられた把持部材と、前記ドラム載置用フレームに一端側が固定されたチェーンないし紐部材と、前記チェーンないし紐部材の少なくとも一部を収容する収容ケース部と、前記チェーンないし紐部材の他端側を取り外し可能に係合可能な係合部と、を備え、前方外側ローラーと前方内側ローラーとを平行に共に回転可能に保持する一対の前方側軸受プレートが、前記ドラム載置用フレームの前方側に当該ドラム載置用フレームに対して揺動可能に取り付けられており、後方外側ローラーと後方内側ローラーとを平行に共に回転可能に保持する一対の後方側軸受プレートが、前記ドラム載置用フレームの後方側に当該ドラム載置用フレームに対して揺動可能に取り付けられており、前記前方外側ローラー、前記前方内側ローラー、前記後方外側ローラー及び前記後方内側ローラーは、前記ドラム載置用フレームの前記上面が下側に転回された状態で、ドラムの回転台として機能するようになっており、前記前方外側ローラー、前記前方内側ローラー、前記後方外側ローラー及び前記後方内側ローラーがドラムの回転台として機能する際、前記チェーンないし紐部材は、当該ドラムを前記前方外側ローラー、前記前方内側ローラー、前記後方外側ローラー及び前記後方内側ローラーの側に引き寄せる力を当該ドラムに付与するべく、当該ドラムないし当該ドラムに支持された治具に巻き回された状態で、前記係合部に取り外し可能に係合されるようになっていることを特徴とするドラム回転台兼用台車である。
【００１２】
本発明によれば、移動用の複数のローラーが設けられており、且つ、把持部材が取り付けられていることによって、移動ないし引き回しが容易である。また、本発明は、ドラムやその他工事用道具等を載置可能な上面を有するため、台車として機能することができる。そして、本発明は、ドラムの回転台として機能する際、チェーンないし紐部材がドラムないし当該ドラムに支持された治具に巻き回されることにより、ドラムの転がりを効果的に防止することができる。
【００１３】
ドラムの回転台として機能する際、必要に応じて、把持部材はドラム載置用フレームから取り外されてもよい。
【００１４】
また、本発明によれば、チェーンないし紐部材の一端側がドラム載置用フレームに固定されているため、チェーンないし紐部材が紛失する虞がなく、また、チェーンないし紐部材の少なくとも一部が収容ケース部に収容されているため、移動ないし引き回しの際にチェーンないし紐部材の存在が気にならない。
【００１５】
好ましくは、前記ドラムの中空軸部分に挿入され得る挿入棒が、前記ドラム載置用フレームに取り外し可能に取り付けられており、前記挿入棒は、前記前方外側ローラー、前記前方内側ローラー、前記後方外側ローラー及び前記後方内側ローラーがドラムの回転台として機能する際、ドラムの中空軸部分に挿入され、前記治具として前記チェーンないし紐部材によって巻き回されるようになっている。
【００１６】
この場合、より確実にドラムの転がりを防止することができる。
【００１７】
また、前記前方側軸受プレートは、スプリングを介して、前記ドラム載置用フレームに対して固定されていることが好ましい。
【００１８】
この場合、ドラムをセットする際の衝撃、及び／または、ドラムを取り出す際の衝撃を、スプリングが吸収してくれる。
【００１９】
なお、少なくとも本願出願の時点においては、チェーンないし紐部材の両端側のそれぞれがドラム載置用フレームに取り外し可能に係合するタイプの構成も、本願の保護対象から排除されない。
【００２０】
すなわち、本発明は、ドラムを移動する際に当該ドラムやその他工事用道具等を載置可能な上面を有するドラム載置用フレームと、前記ドラム載置用フレームの下面側に設けられた移動用の複数のローラーと、前記ドラム載置用フレームに取り外し可能に取り付けられた把持部材と、チェーンないし紐部材の少なくとも一部を収容する収容ケース部と、前記収容ケース部に少なくとも一部が収容されたチェーンないし紐部材と、前記チェーンないし紐部材の一端側を取り外し可能に係合可能な一端側係合部と、前記チェーンないし紐部材の他端側を取り外し可能に係合可能な他端側係合部と、を備え、前方外側ローラーと前方内側ローラーとを平行に共に回転可能に保持する一対の前方側軸受プレートが、前記ドラム載置用フレームの前方側に当該ドラム載置用フレームに対して揺動可能に取り付けられており、後方外側ローラーと後方内側ローラーとを平行に共に回転可能に保持する一対の後方側軸受プレートが、前記ドラム載置用フレームの後方側に当該ドラム載置用フレームに対して揺動可能に取り付けられており、前記前方外側ローラー、前記前方内側ローラー、前記後方外側ローラー及び前記後方内側ローラーは、前記ドラム載置用フレームの前記上面が下側に転回された状態で、ドラムの回転台として機能するようになっており、前記前方外側ローラー、前記前方内側ローラー、前記後方外側ローラー及び前記後方内側ローラーがドラムの回転台として機能する際、前記チェーンないし紐部材は、当該ドラムを前記前方外側ローラー、前記前方内側ローラー、前記後方外側ローラー及び前記後方内側ローラーの側に引き寄せる力を当該ドラムに付与するべく、当該ドラムないし当該ドラムに支持された治具に巻き回された状態で、前記一端側係合部及び前記他端側係合部に取り外し可能に係合されるようになっていることを特徴とするドラム回転台兼用台車である。
【発明の効果】
【００２１】
本発明によれば、移動用の複数のローラーが設けられており、且つ、把持部材が取り付けられていることによって、移動ないし引き回しが容易である。また、本発明は、ドラムやその他工事用道具等を載置可能な上面を有するため、台車として機能することができる。そして、本発明は、ドラムの回転台として機能する際、チェーンないし紐部材がドラムないし当該ドラムに支持された治具に巻き回されることにより、ドラムの転がりを効果的に防止することができる。
【図面の簡単な説明】
【００２２】
【図１】本発明の一実施形態に係るドラム回転台兼用台車の概略斜視図である。
【図２】図１のドラム回転台兼用台車をドラムの回転台として用いる場合の概略斜視図である。
【図３】図２のドラム回転台兼用台車にドラムをセットした状態を示す概略斜視図である。
【図４】収納時の図１乃至図３のドラム回転台兼用台車を示す概略斜視図である。
【図５】ドラムをセットする直前の状態を示す図１乃至図４のドラム回転台兼用台車の概略側面図（部分図）である。
【図６】ドラムをセットした状態を示す図１乃至図４のドラム回転台兼用台車の概略側面図（部分図）である。
【発明を実施するための形態】
【００２３】
以下、図面を参照して本発明の一実施形態について説明する。  
【００２４】
図１は、本発明の一実施形態に係るドラム回転台兼用台車１の概略斜視図であり、図２は、図１のドラム回転台兼用台車１をドラム２の回転台として用いる場合の概略斜視図であり、図３は、図２のドラム回転台兼用台車１にドラム２をセットした状態を示す概略斜視図であり、図４は、収納時の図１乃至図３のドラム回転台兼用台車１を示す概略斜視図である。また、図５は、ドラムをセットする直前の状態を示す図１乃至図４のドラム回転台兼用台車の概略側面図（部分図）であり、図６は、ドラムをセットした状態を示す図１乃至図４のドラム回転台兼用台車の概略側面図（部分図）である。
【００２５】
特に図１に示すように、本実施形態に係るドラム回転台兼用台車１は、ドラム２を移動する際に当該ドラム２やその他工事用道具等を載置可能な上面を有する略長方形状のドラム載置用フレーム１０を備えている。ドラム載置用フレーム１０の下面側には、移動用の複数のローラーとして、前方側の一対の自在ローラー１１ａ、１１ｂと、後方側の一対の固定ローラー１２ａ、１２ｂと、が設けられている。
【００２６】
また、本実施形態に係るドラム回転台兼用台車１には、ドラム載置用フレーム１０に取り外し可能に把持部材２０が取り付けられている。本実施形態の把持部材２０は、左右一対の鉛直方向に伸びる支柱部２１ａ、２１ｂと、水平方向に伸びる把持用バー２２と、を有しており、各支柱部２１ａ、２１ｂの下端部が、任意の公知の締結部材によって、ドラム載置用フレーム１０の後方端部に取り外し可能に固定されている。
【００２７】
また、ドラム載置用フレーム１０の後方側の両方の側面に、チェーン３０の一端が固定されたチェーン固定部１３が設けられている。また、チェーン３０の他端を含む当該チェーン３０の大部分は、ドラム載置用フレーム１０に設けられた収容ケース部１４に収容されている。本実施形態の収容ケース部１４は、ドラム２やその他工事用道具等を載置可能な上面の一部を提供する一方で、移動用の各ローラー１１ａ、１１ｂ、１２ａ、１２ｂの接地面から所定の高さを確保できるよう、内部空間の高さは低くなっている。収容ケース部１４には、ヒンジ機構１４ｈによって開閉する蓋部が設けられている。また、収容ケース部１４の側部の一部に、チェーン３０が貫通可能な窓部（不図示）が設けられている。当該窓部からチェーン固定部１３に至るまでの領域で、チェーン３０は常に露出している。
【００２８】
また、本実施形態では、ドラム載置用フレーム１０における各自在ローラー１１ａ、１１ｂの近傍の領域において、チェーン３０の他端側を取り外し可能に係合する係合用スリット１５（係合部の一態様）が形成されている。
【００２９】
特に図１及び図２に示すように、前方外側ローラー４１と前方内側ローラー４２とを平行に共に回転可能に保持する一対の前方側軸受プレート４０が、ドラム載置用フレーム１０の前方側に固定された支持突部１６に当該支持突部１６及びドラム載置用フレーム１０に対して揺動可能に取り付けられている。具体的には、例えば前方側軸受プレート４０から側方に伸びるピン部材（不図示）が、支持突部１６に設けられた貫通穴（不図示）を揺動可能に貫通している。そして、当該揺動軸に沿って、一対の前方側軸受プレート４０の間に補強シャフト４３が渡されている。
【００３０】
概ね同様に、後方外側ローラー５１と後方内側ローラー５２とを平行に共に回転可能に保持する一対の後方側軸受プレート５０が、ドラム載置用フレーム１０の後方側に固定された支持突部１７に当該支持突部１７及びドラム載置用フレーム１０に対して揺動可能に取り付けられている。具体的には、例えば後方側軸受プレート５０から側方に伸びるピン部材（不図示）が、支持突部１７に設けられた貫通穴（不図示）を揺動可能に貫通している。そして、当該揺動軸に沿って、一対の後方側軸受プレート５０の間に補強シャフト５３が渡されている。
【００３１】
本実施形態では、前方側軸受プレート４０の揺動軸（ピン部材４０ｐ）の高さと、後方側軸受プレート５０の揺動軸（ピン部材５０ｐ）の高さとは、同じに揃えられている。これにより、２つの補強シャフト４３、５３の高さが、同じに揃えられている。このため、ドラム回転台兼用台車１の高さ（厚み）が抑えられている。
【００３２】
そして、特に図２及び図３に示すように、前方外側ローラー４１、前方内側ローラー４２、後方内側ローラー５２及び後方外側ローラー５１は、ドラム載置用フレーム１０の上面が下側に転回された状態で、ドラム２の回転台として機能するようになっている。
【００３３】
本実施形態の前方側軸受プレート４０は、特に図５及び図６に示すように、スプリング４５を介してもドラム載置用フレーム１０に固定されている。これにより、ドラム２をセットする際の衝撃、及び／または、ドラム２を取り出す際の衝撃を、スプリング４５が吸収するようになっている。
【００３４】
また、特に図５及び図６に示すように、前方側軸受プレート４０の揺動を案内するために、本実施形態の支持突部１６には揺動案内ピン１６ｐが設けられていて、前方側軸受プレート４０には当該揺動案内ピン１６ｐが摺動する揺動案内溝４０ｇが設けられている。これらによって、ドラム２をセットする際の衝撃、及び／または、ドラム２を取り出す際の衝撃を、より安定的にスプリング４５で受け止めることができる。但し、当該構成を採用したことにより、支持突部１６の方が支持突部１７よりも高くなっている。
【００３５】
図３に戻って、前方外側ローラー４１、前方内側ローラー４２、後方内側ローラー５２及び後方外側ローラー５１がドラム２の回転台として機能する際、チェーン３０は、当該ドラム２を前方外側ローラー４１、前方内側ローラー４２、後方内側ローラー５２及び後方外側ローラー５１の側に引き寄せる力を当該ドラム２に付与するべく、当該ドラム２ないしドラム２に支持された治具に巻き回されるようになっている。
【００３６】
本実施形態では、前方外側ローラー４１、前方内側ローラー４２、後方内側ローラー５２及び後方外側ローラー５１がドラム２の回転台として機能する際、挿入棒７０がドラム２の中空軸部分２ｃに挿入され、前記治具としてチェーン３０によって巻き回されるようになっている。挿入棒７０は、例えば、ドラム載置用フレーム１０に取り外し可能に取り付けられている。
【００３７】
本実施形態の挿入棒７０は、円筒状のシャフト部７１と、シャフト部７１の一端部に設けられチェーン３０の巻き回しを案内する一対の鍔部７２を有するチェーン巻回部７３と、当該チェーン巻回部７３から所定距離おいて設けられたドラム２の大径フランジ部に当接する大径鍔部７４と、を有している。
【００３８】
また、シャフト部７１よりも大径の内径を有する補助中空棒７５が、シャフト部７１上に摺動移動可能に嵌合されるようになっており、当該補助中空棒７５は、一端部においてチェーン３０の巻き回しを案内する一対の鍔部７６を有するチェーン巻回部７７を有し、他端部においてドラム２の大径フランジ部に当接する大径鍔部７８を有している。
【００３９】
次に、本実施の形態の作用について説明する。
【００４０】
まず、図１に示すように、本実施形態に係るドラム回転台兼用台車１は、台車として機能することができる。図１に示すように、ドラム載置用フレーム１０の上面は、略長方形状の平坦面を提供し、ドラム２やその他工事用道具等を載置可能である。
【００４１】
また、把持部材２０が取り付けられているため、把持部材２０の把持用バー２２を手で操作することによって、ドラム回転台兼用台車１の移動ないし引き回しが容易である。特に、自在ローラー１１ａ、１１ｂと固定ローラー１２ａ、１２ｂとの組合せが採用されているため、ドラム回転台兼用台車１の移動ないし引き回しがより一層容易である。また、チェーン３０の大部分は収容ケース部１４に収容されているため、ドラム回転台兼用台車１の移動ないし引き回しの際にチェーン３０の存在が邪魔になることがない。
【００４２】
次に、本実施形態に係るドラム回転台兼用台車１は、ドラム２の回転台として機能することができる。この場合には、ドラム載置用フレーム１０の上面が下側に転回され、前方外側ローラー４１、前方内側ローラー４２、後方内側ローラー５２及び後方外側ローラー５１が上面側に露出される（図２及び図３参照）。一方、チェーン３０が収容ケース部１４から取り出され、把持部材２０も、必要に応じて、ドラム載置用フレーム１０から取り外される。
【００４３】
そして、図５に示すように、例えば、後方外側ローラ−５１の外側から、ドラム２が当該後方外側ローラ−５１上に乗せられる。そして、ドラム２は転がされながら、後方内側ローラ−５２、前方内側ローラ−４２、前方外側ローラー４１の上に順に乗せられていく。
【００４４】
この時、前方側軸受プレート４０とドラム載置用フレーム１０との間にスプリング４５が設けられていることにより、ドラム２をセットする際の衝撃を、当該スプリング４５が吸収する。特に、本実施形態では、支持突部１６の揺動案内ピン１６ｐと前方側軸受プレート４０の揺動案内溝４０ｇとが摺動することによって、ドラム２をセットする際の衝撃を、より安定的にスプリング４５で受け止めることができる。
【００４５】
そして、本実施形態では、挿入棒７０がドラム２の中空軸部分２ｃに挿入され、チェーン３０によって巻き回される。具体的には、ドラム２の中空軸部分２ｃの一方側から挿入棒７０が挿入され、ドラム２の大径フランジ部に大径鍔部７４が当接される。そして、ドラム２の中空軸部分２ｃの他方側から突出する挿入棒７０のシャフト部７１に、補助中空棒７５が嵌合され、補助中空棒７５の大径鍔部７８がドラム２の他方の大径フランジ部に当接される。この状態で、ドラム載置用フレーム１０の両側面のチェーン固定部１３に固定された各チェーン３０が、チェーン巻回部７３、７７に巻き回される（図４の状態）。
【００４６】
そして、各チェーン３０の他端側の一部は、各自在ローラー１１ａ、１１ｂの近傍の領域に設けられた係合用スリット１５に、取り外し可能に係合される。
【００４７】
ドラム２が回転する際には、当該ドラム２の中空軸部分２ｃに対して挿入棒７０が摺動する。すなわち、挿入棒７０及び補助中空棒７５は、ドラム２が回転してもほとんど回転しない。従って、チェーン３０は各チェーン巻回部７３、７７に対して安定的に固定され、ドラム２が不所望に転がってしまうことが有効に防止される。
【００４８】
ドラム２を取り外す時には、チェーン３０を係合用スリット１５及び各チェーン巻回部７３、７７から取り外し、挿入棒７０及び補助中空棒７５をドラム２から取り外してから、ドラム２を後方外側ローラ−５２の外側へと転がす。
【００４９】
この時、前方側軸受プレート４０とドラム載置用フレーム１０との間にスプリング４５が設けられていることにより、ドラム２を取り外す際の衝撃も、当該スプリング４５が吸収する。特に、本実施形態では、支持突部１６の揺動案内ピン１６ｐと前方側軸受プレート４０の揺動案内溝４０ｇとが摺動することによって、ドラム２を取り外す際の衝撃を、より安定的にスプリング４５で受け止めることができる。
【００５０】
その後、チェーン３０が収容ケース部１４に収容され、図４のような収納状態となって保管されたり、あるいは、把持部材２０が再び取り付けられて、図１の台車状態に戻される。
【００５１】
以上のように、本実施形態のドラム回転台兼用台車１によれば、移動用の複数のローラー１１ａ、１１ｂ、１２ａ、１２ｂが設けられており、且つ、把持部材２０が取り付けられていることによって、移動ないし引き回しが容易である。また、本実施形態のドラム回転台兼用台車１は、ドラム２やその他工事用道具等を載置可能な上面を有するため、台車として機能することができる。そして、本実施形態のドラム回転台兼用台車１は、ドラム２の回転台として機能する際、チェーン３０がドラム２に支持された挿入棒７０及び補助中空棒７５に巻き回されることにより、ドラム２の転がりを効果的に防止することができる。
【００５２】
また、本実施形態のドラム回転台兼用台車１によれば、チェーン３０の一端側がドラム載置用フレーム１０に固定されているため、チェーン３０が紛失する虞がなく、また、チェーン３０の一部が収容ケース部１４に収容されているため、移動ないし引き回しの際にチェーン３０の存在が気にならない。
【００５３】
また、本実施形態のドラム回転台兼用台車１によれば、前方側軸受プレート４０がスプリング４５を介してドラム載置用フレーム１０に対して固定されているため、ドラム２をセットする際の衝撃、及び／または、ドラム２を取り出す際の衝撃を、当該スプリング４５が効果的に吸収してくれる。
【００５４】
なお、以上の実施形態において、挿入棒７０及び補助中空棒７５は、ドラム載置用フレーム１０に取り外し可能に取り付けられていることが好ましい。
【００５５】
また、以上の実施形態において、把持部材２０は、取り外すタイプに限定されず、折れ曲がるタイプや、折り畳まれるタイプのものであってもよい。要するに、把持部材２０は、回転台として使用する際に邪魔にならなければ良い。
【００５６】
また、以上の実施形態において、チェーン３０の代わりに、各種の紐部材（紐、ロープ、ケーブル等）が利用されてもよい。これらの場合、係合用スリット１５も、各種の紐部材を取り外し可能に係合するための対応する係合部に置換される。
【００５７】
なお、少なくとも本願出願の時点においては、チェーン３０ないし紐部材の両端側のそれぞれがドラム載置用フレーム１０に取り外し可能に係合するタイプの構成も、本願の保護対象から排除されない。
【符号の説明】
【００５８】
１  ドラム回転台兼用台車
２  ドラム
２ｃ  中空軸部分
１０  ドラム載置用フレーム
１１ａ、１１ｂ  自在ローラー
１２ａ、１２ｂ  固定ローラー
１３  チェーン固定部
１４  収容ケース部
１４ｈ  ヒンジ機構
１５  係合用スリット
１６  支持突部
１６ｐ  揺動案内ピン
１７  支持突部
１７ｐ  揺動案内ピン
２０  把持部材
２１ａ、２１ｂ  支柱部
２２  把持用バー
３０  チェーン
４０  前方側軸受プレート
４０ｇ  揺動案内溝
４１  前方外側ローラー
４２  前方内側ローラー
４３  補強シャフト
４５  スプリング
５０  後方側軸受プレート
５０ｇ  揺動案内溝
５１  後方外側ローラー
５２  後方内側ローラー
５３  補強シャフト
７０  挿入棒
７１  シャフト部
７２  鍔部
７３  チェーン巻回部
７４  大径鍔部
７５  補助中空棒
７６  鍔部
７７  チェーン巻回部
７８  大径鍔部
【図１】
2018103953.tif 000003
【図２】
2018103953.tif 000004
【図３】
2018103953.tif 000005
【図４】
2018103953.tif 000006
【図５】
2018103953.tif 000007
【図６】
2018103953.tif 000008